(57)【要約】【課題】薬剤調製者が薬剤に曝露する可能性を減らすことのできる、薬剤捕集機構を提供する。【解決手段】注射器Ｓの注射針Ｓ１が挿通可能な挿通部Ｂ１を有する薬剤容器Ｂに対して、前記薬剤容器Ｂの外部から前記挿通部Ｂ１を密に覆うように装着可能であり、かつ、前記注射器Ｓの一部が前記注射針Ｓ１の先端側から密に挿通可能であるジャケット本体２１と、前記ジャケット本体２１を貫通し、前記ジャケット本体２１の内部に流体を導入する導入部２４と、前記ジャケット本体２１を貫通し、前記ジャケット本体２１の内部から流体を導出する導出部２５と、前記導入部２４を介して前記ジャケット本体２１の内部に流体を供給する流体供給部３と、前記流体供給部３によって前記ジャケット本体２１の内部に供給された流体を、前記導出部２５を介して回収する流体回収部４と、を備える薬剤捕集機構１である。【選択図】図１
2019216847.tif 000002
【特許請求の範囲】
【請求項１】
注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、
前記ジャケット本体を貫通し、前記ジャケット本体の内部に流体を導入する導入部と、
前記ジャケット本体を貫通し、前記ジャケット本体の内部から流体を導出する導出部と、
前記導入部を介して前記ジャケット本体の内部に流体を供給する流体供給部と、
前記流体供給部によって前記ジャケット本体の内部に供給された流体を、前記導出部を介して回収する流体回収部と、を備える薬剤捕集機構。
【請求項２】
注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、
前記ジャケット本体を貫通し、前記ジャケット本体の内部に流体を導入する導入部と、
前記ジャケット本体を貫通し、前記ジャケット本体の内部から流体を導出する導出部と、
前記導出部を介して前記ジャケット本体の内部の流体を吸引する吸引部と、を備える薬剤捕集機構。
【請求項３】
注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、
前記ジャケット本体を貫通し、前記ジャケット本体の内部に流体を導入する導入部と、
前記ジャケット本体を貫通し、前記ジャケット本体の内部から流体を導出する導出部と、を備えるジャケット。
【請求項４】
注射器の注射針が挿通可能な挿通部を有する薬剤容器に対して、前記薬剤容器の外部から前記挿通部を密に覆うようにジャケットを装着するとともに、前記ジャケットに対して、前記注射器の一部を前記注射針の先端側から密に挿通する工程と、
前記注射器の前記注射針を、前記薬剤容器の外部から前記挿通部に挿通し、前記薬剤容器と前記注射器との間で薬剤を移動させる工程と、
前記注射器の前記注射針を、前記薬剤容器の前記挿通部から抜くとともに、前記ジャケットの内部に流体を供給しながら、前記ジャケット内部から流体を回収する工程と、を備える薬剤捕集方法。
【請求項５】
注射器の注射針が挿通可能な挿通部を有する薬剤容器に対して、前記薬剤容器の外部から前記挿通部を密に覆うようにジャケットを装着するとともに、前記ジャケットに対して、前記注射器の一部を前記注射針の先端側から密に挿通する工程と、
前記注射器の前記注射針を、前記薬剤容器の外部から前記挿通部に挿通し、前記薬剤容器と前記注射器との間で薬剤を移動させる工程と、
前記注射器の前記注射針を、前記薬剤容器の前記挿通部から抜くとともに、前記ジャケットの内部に流体を導入しながら、前記ジャケット内部から流体を吸引する工程と、を備える薬剤捕集方法。
【発明の詳細な説明】
【技術分野】
【０００１】
本発明は、薬剤調製者が曝露する可能性のある薬剤を捕集するための薬剤捕集機構、薬剤捕集に用いるジャケット、薬剤捕集方法に関するものである。
【背景技術】
【０００２】
毒性があり、微量であっても長期間に亘り摂取すると人体に悪影響を及ぼす薬剤（一例として抗がん剤）が存在する。このような薬剤が収容された薬剤容器から、注射器を用いて薬剤を取り出す際に、薬剤を含む微粒子であるエアロゾルが発生したり、薬剤容器から注射器を分離した後に薬剤容器の蓋や注射針の外面に薬剤が付着したままの状態となっていたりすることにより、薬剤師等の薬剤調製者が薬剤に曝露する可能性があった。
【先行技術文献】
【特許文献】
【０００３】
【特許文献１】特開２０１６−１７４８６５号公報
【発明の概要】
【発明が解決しようとする課題】
【０００４】
エアロゾルを捕集することに関しては特許文献１に記載がある。しかし、特許文献１には薬剤へのその他対策については記載がされておらず、薬剤調製者が薬剤容器から薬剤を取り出す際における、幅広い曝露対策については改善の余地があった。
【０００５】
そこで本発明は、薬剤調製者が薬剤に曝露する可能性を減らすことのできる、薬剤捕集機構、ジャケット、薬剤捕集方法を提供することを課題とする。
【課題を解決するための手段】
【０００６】
本発明は、注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、前記ジャケット本体を貫通し、前記ジャケット本体の内部に流体を導入する導入部と、前記ジャケット本体を貫通し、前記ジャケット本体の内部から流体を導出する導出部と、前記導入部を介して前記ジャケット本体の内部に流体を供給する流体供給部と、前記流体供給部によって前記ジャケット本体の内部に供給された流体を、前記導出部を介して回収する流体回収部と、を備える薬剤捕集機構である。
【０００７】
これによると、薬剤容器の挿通部及び注射針がジャケット本体の内部に配置される。このため、もしエアロゾルが発生しても、エアロゾルをジャケット本体の内部空間にとどめておくことで、ジャケット本体の外部への薬剤の飛散や流出を防止できる。そして、ジャケット本体の内部に存在しており薬剤調製者が曝露する可能性のある薬剤は、ジャケット本体の内部に流体を供給しながら、ジャケット本体の内部から流体を回収することにより、薬剤容器の挿通部や注射針やジャケット本体の内部空間から除去できる。
【０００８】
また本発明は、注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、前記ジャケット本体を貫通し、前記ジャケット本体の内部に流体を導入する導入部と、前記ジャケット本体を貫通し、前記ジャケット本体の内部から流体を導出する導出部と、前記導出部を介して前記ジャケット本体の内部の流体を吸引する吸引部と、を備える薬剤捕集機構である。
【０００９】
これによると、薬剤容器の挿通部及び注射針がジャケット本体の内部に配置される。このため、もしエアロゾルが発生しても、エアロゾルをジャケット本体の内部空間にとどめておくことで、ジャケット本体の外部への薬剤の飛散や流出を防止できる。そして、ジャケット本体の内部に存在しており薬剤調製者が曝露する可能性のある薬剤は、ジャケット本体の内部に流体を導入しながら、ジャケット本体の内部の流体を吸引することにより、薬剤容器の挿通部や注射針やジャケット本体の内部空間から除去できる。
【００１０】
また、本発明は、注射器の注射針が挿通可能な挿通部を有する薬剤容器に対して、前記薬剤容器の外部から前記挿通部を密に覆うように装着可能であり、かつ、前記注射器の一部が前記注射針の先端側から密に挿通可能であるジャケット本体と、前記ジャケット本体を貫通し、前記ジャケット本体の内部に流体を導入する導入部と、前記ジャケット本体を貫通し、前記ジャケット本体の内部から流体を導出する導出部と、を備えるジャケットである。
【００１１】
これによると、薬剤容器の挿通部及び注射針がジャケットの内部に配置される。このため、もしエアロゾルが発生しても、エアロゾルをジャケットの内部空間にとどめておくことで、ジャケットの外部への薬剤の飛散や流出を防止できる。そして、ジャケットの内部に存在しており薬剤調製者が曝露する可能性のある薬剤は、流体を導入、導出することにより、薬剤容器の挿通部や注射針やジャケット本体の内部空間から除去できる。
【００１２】
また、本発明は、注射器の注射針が挿通可能な挿通部を有する薬剤容器に対して、前記薬剤容器の外部から前記挿通部を密に覆うようにジャケットを装着するとともに、前記ジャケットに対して、前記注射器の一部を前記注射針の先端側から密に挿通する工程と、前記注射器の前記注射針を、前記薬剤容器の外部から前記挿通部に挿通し、前記薬剤容器と前記注射器との間で薬剤を移動させる工程と、前記注射器の前記注射針を、前記薬剤容器の前記挿通部から抜くとともに、前記ジャケットの内部に流体を供給しながら、前記ジャケット内部から流体を回収する工程と、を備える薬剤捕集方法である。
【００１３】
これによると、薬剤容器の挿通部及び注射針がジャケットの内部に配置される。このため、もしエアロゾルが発生しても、エアロゾルをジャケットの内部空間にとどめておくことで、ジャケットの外部への薬剤の飛散や流出を防止できる。そして、ジャケットの内部に存在しており薬剤調製者が曝露する可能性のある薬剤は、ジャケットの内部に流体を供給しながら、ジャケットの内部から流体を回収することにより、薬剤容器の挿通部や注射針やジャケット本体の内部空間から除去できる。
【００１４】
また、本発明は、注射器の注射針が挿通可能な挿通部を有する薬剤容器に対して、前記薬剤容器の外部から前記挿通部を密に覆うようにジャケットを装着するとともに、前記ジャケットに対して、前記注射器の一部を前記注射針の先端側から密に挿通する工程と、前記注射器の前記注射針を、前記薬剤容器の外部から前記挿通部に挿通し、前記薬剤容器と前記注射器との間で薬剤を移動させる工程と、前記注射器の前記注射針を、前記薬剤容器の前記挿通部から抜くとともに、前記ジャケットの内部に流体を導入しながら、前記ジャケット内部から流体を吸引する工程と、を備える薬剤捕集方法である。
【００１５】
これによると、薬剤容器の挿通部及び注射針がジャケットの内部に配置される。このため、もしエアロゾルが発生しても、エアロゾルをジャケットの内部空間にとどめておくことで、ジャケットの外部への薬剤の飛散や流出を防止できる。そして、ジャケットの内部に存在しており薬剤調製者が曝露する可能性のある薬剤は、ジャケットの内部に流体を導入しながら、ジャケットの内部を吸引することにより、薬剤容器の挿通部や注射針やジャケット本体の内部空間から除去できる。
【発明の効果】
【００１６】
本発明は、エアロゾルをジャケット本体（ジャケット）の内部空間にとどめておくことで、ジャケット本体（ジャケット）の外部への薬剤の飛散や流出を防止できる。そして、ジャケット本体（ジャケット）の内部空間に存在しており薬剤調製者が曝露する可能性のある薬剤を薬剤容器の挿通部や注射針やジャケット本体（ジャケット）の内部空間から除去できる。よって、薬剤調製者が薬剤に曝露する可能性を減らすことができる。
【図面の簡単な説明】
【００１７】
【図１】本発明の第１実施形態に係る薬剤捕集機構の構成を示す、部分断面視の概略図である。
【図２】本発明の第２実施形態に係る薬剤捕集機構の構成を示す、部分断面視の概略図である。
【図３】本発明の第１実施形態に係る薬剤捕集機構を一部変更した構成を示し、（ａ）は要部の部分断面視の概略図であり、（ｂ）は（ａ）のＸ−Ｘ矢視の概略図である。
【発明を実施するための形態】
【００１８】
−第１実施形態−
次に、本発明につき、二つの実施形態を取り上げて説明を行う。まず、第１実施形態について説明する。図１は、第１実施形態の薬剤捕集機構１を示す概略図である。
【００１９】
本実施形態の薬剤捕集機構１は、注射器Ｓの注射針Ｓ１が挿通可能な挿通部Ｂ１を有する薬剤容器Ｂに対し、注射針Ｓ１を、薬剤容器Ｂの外部から挿通部Ｂ１に挿通し、薬剤容器Ｂと注射器Ｓとの間で薬剤を移動させる（つまり、薬剤を薬剤容器Ｂから注射器Ｓに注射針Ｓ１を介して吸い出す、または、薬剤を注射器Ｓから薬剤容器Ｂに注射針Ｓ１を介して吐出する）際に用いられる。薬剤容器Ｂは例えばバイアル瓶である。挿通部Ｂ１は、薬剤容器Ｂがバイアル瓶である場合、例えば薬剤容器Ｂに液密かつ気密に取り付けられたゴム等の樹脂製の蓋である。この蓋は、例えば、薬剤容器Ｂの本体がガラス製や樹脂製であるのに対し、外周部が金属板や樹脂板のかしめにより取り付けられている。
【００２０】
ここで、本実施形態の対象となる薬剤としては種々の薬剤が該当する。特に、毒性があり、微量であっても長期間に亘り摂取すると人体に悪影響を及ぼす薬剤に対して本実施形態の薬剤捕集機構１は有効である。このような薬剤の一例として抗がん剤が挙げられる。抗がん剤の場合、発がん性があると報告されているものが多く存在する。
【００２１】
注射器Ｓによって薬剤を移動させることから、薬剤容器Ｂに収容されている薬剤は、少なくとも注射器Ｓに移動させる時点において液状である必要がある。薬剤は当初から液状とされていてもよいし、固体状（例えば粉末状や顆粒状、繊維状）の薬剤が収容された薬剤容器Ｂに精製水等の溶媒を注射器Ｓによって注入することで溶解して液状の溶液としてもよい。
【００２２】
本実施形態の薬剤捕集機構１は、主に、ジャケット２、流体供給部３、流体回収部４を備える。ジャケット２は、薬剤容器Ｂと注射器Ｓとを共に装着できるもの（アダプター）であって、ジャケット本体２１、導入部２４、導出部２５を備える。
【００２３】
ジャケット本体２１は、筒状（例えば円筒状）の部分であって内部に空間を有している。このジャケット本体２１は、薬剤容器Ｂに対して、薬剤容器Ｂの外部から挿通部Ｂ１を密（少なくとも液密であって、本実施形態では液密かつ気密）に覆うように装着可能である。ジャケット本体２１は、薬剤容器Ｂに接合される薬剤容器接合部２２を備える。本実施形態の薬剤容器接合部２２は、ジャケット本体２１の図示下端部に設けられており、内周にパッキンが突出している。このパッキンを挿通部Ｂ１の外方にて薬剤容器Ｂに密着させることで、ジャケット本体２１に薬剤容器Ｂを装着する。
【００２４】
また、ジャケット本体２１は、注射器Ｓの一部が注射針Ｓ１の先端側から密に挿通可能である。ジャケット本体２１は、注射器Ｓに接合される注射器接合部２３を備える。本実施形態の注射器接合部２３は、ジャケット本体２１の図示上端部に設けられており、内周にパッキンが突出している。このパッキンを注射器Ｓの筒状部分の外周面に密着させることで、ジャケット本体２１に注射器Ｓを装着する。ジャケット本体２１への装着状態において、注射器Ｓは薬剤容器Ｂに接近離反する方向に相対移動可能とされている。本実施形態では、注射器Ｓは軸方向（矢印で図示した上下方向）に移動可能とされている。このため、薬剤容器接合部２２を薬剤容器Ｂに密着させ、ジャケット本体２１に注射器Ｓを装着した状態のまま、注射針Ｓ１を、薬剤容器Ｂの外部から内部に挿通部Ｂ１を介して挿通し、薬剤を薬剤容器Ｂから注射器Ｓに吸い出す作業を行うことができる。なお、ジャケット本体２１は、注射器Ｓの移動方向に伸縮自在な蛇腹形状などに形成されていてもよい。これにより、注射器Ｓを軸方向に移動させたとしても、注射器接合部２３と注射器Ｓとが密着した状態を維持できる。
【００２５】
このように構成されたジャケット本体２１により、薬剤容器Ｂの挿通部Ｂ１及び注射針Ｓ１がジャケット本体２１の内部空間に配置される。この配置はジャケット本体２１の外部に対して密（少なくとも液密であって、本実施形態では液密かつ気密）な状態でなされる。このため、もしエアロゾルが発生しても、エアロゾルをジャケット２の内部空間にとどめられ、ジャケット本体２１の外部への薬剤の飛散や流出を防止できる。また、薬剤容器Ｂから注射器Ｓを分離した後に薬剤容器Ｂの蓋や注射針Ｓ１の外面に薬剤が付着したままの状態となっていても、この薬剤はジャケット２の内部空間にとどめられ、後述する流体供給部３による流体の供給前において、ジャケット本体２１の外部に流出することが防止されている。
【００２６】
導入部２４は、ジャケット本体２１に貫通する部分である。本実施形態の導入部２４は、ジャケット本体２１を径方向に貫通し、ジャケット本体２１の内部空間に連通する短いパイプである。ただし、形態は限定されるものではない。この導入部２４を介してジャケット本体２１の内部に流体を導入することができる。本実施形態では、ジャケット本体２１の下部に１箇所の導入部２４が設けられている。ただし、これに限定されるものではない。
【００２７】
導出部２５もまた、ジャケット本体２１を貫通する部分である。本実施形態の導出部２５は、ジャケット本体２１を径方向に貫通し、ジャケット本体２１の内部空間に連通する短いパイプである。ただし、形態は限定されるものではない。この導出部２５を介してジャケット本体２１の内部から流体を導出することができる。本実施形態では、図示上下に２箇所の導出部２５，２５が設けられている。ただし、これに限定されるものではない。
【００２８】
流体供給部３は、ジャケット本体２１の内部に流体を供給するために設けられており、導入部２４に接続されている。図示していないが、流体供給部３は流体を保持するタンクと、タンクの流体Ｆ１（図１参照）をジャケット本体２１に移動させるポンプ等の流体移動手段を有している。本実施形態で用いる流体は精製水である。流体は、ジャケット２の内部に位置する薬剤容器Ｂ及び注射器Ｓのうち流体に接する部分から、例えば洗浄により、薬剤を除去できるものであれば特に限定されない。例えば、流体として空気等の気体を用い、流体供給部３から供給された流体でジャケット２の内部に存在する薬剤を吹き飛ばして導出部２５から導出することもできる。
【００２９】
流体回収部４は、流体供給部３によってジャケット本体２１の内部に供給された流体（ジャケット本体２１の内部にとどまる薬剤を含む）を回収するために設けられており、導出部２５に接続されている。本実施形態の流体回収部４は、流体を貯留するタンクを有している。このタンクは、流体供給部３による流体の供給量に対して余裕を持った容量を有している。
【００３０】
ジャケット本体２１と流体回収部４との間には回収パイプ６が設けられている。本実施形態では導出部２５が２箇所設けられているので、各導出部２５に回収パイプ６が設けられている。薬剤容器Ｂ側（図示下方）の導出部２５に接続される回収パイプ６Ａと、注射器Ｓ側（図示上方）の導出部２５に接続される回収パイプ６Ｂとが設けられる。また本実施形態では、回収パイプ６Ａに開閉弁７が設けられており、必要によりこの開閉弁７を閉鎖することができる。流体供給部３により流体を供給するときには開閉弁７を閉鎖することで、ジャケット本体２１の内部が供給された流体で充満される。これとともに、流体は回収パイプ６Ｂを経由して流体回収部４に回収される。また、ジャケット本体２１の図示下部に設けられた導入部２４から導入された流体を、ジャケット本体２１の内部で下方から上方に流動させた上でジャケット本体２１の図示下部に設けられた導出部２５から導出することができる。このように、ジャケット本体２１の内部を供給された流体で充満させることにより、薬剤が付着した薬剤容器Ｂの蓋や注射器Ｓの外面に流体に接触させることができるので、薬剤の除去を効果的に行うことができる。ジャケット本体２１の内部で下方から上方に流動するような流体の流れを形成することにより、薬剤の除去を効果的に行うことができる。なお、開閉弁７は図示上方に位置する回収パイプ６に設けることもできる。
【００３１】
−第２実施形態−
次に、第２実施形態について説明する。図２は、第２実施形態の薬剤捕集機構１を示す概略図である。なお、第１実施形態と共通する部分については重複する説明は行わず、図２に示す符号についても共通の符号を用いている。
【００３２】
本実施形態の薬剤捕集機構１は、第１実施形態のような流体供給部３は備えないが、吸引部５を備えている。吸引部５は、導出部２５を介してジャケット本体２１の内部の流体を吸引する部分である。吸引部５は、吸引力を生じさせるブロワーやポンプを備えることができる。
【００３３】
吸引部５により吸引される流体Ｆ２は、本実施形態では、ジャケット本体２１の内部に存在する空気のことであるが、場合によっては精製水等の液体であってもよい。流体として液体を用いる場合は、吸引に先立って、ジャケット本体２１の内部に流体を満たしておく必要がある。
【００３４】
吸引部５により空気が吸引される場合、導入部２４は、外気を取り入れることができるように構成される。この場合、外気中の塵等の混入を避けるため、導入部２４をフィルター２６に接続しておくことが好ましい。
【００３５】
吸引後の流体は、流体が空気である場合は、タンクや袋等の貯留部８に一時的に貯留したり、フィルターを通して薬剤を回収処理するか、薬剤の種類に応じた無害化処理を行った後、処理後の空気を外部へ放出したりできる。なお、流体が液体である場合は、第１実施形態の流体回収部４と同様のものを備えることができる。
【００３６】
−薬剤捕集方法−
次に、薬剤捕集方法について説明する。以下では、第１実施形態または第２実施形態の薬剤捕集機構１を用いた例で説明する。しかしこの方法は、必ずしも第１実施形態または第２実施形態の薬剤捕集機構１を用いなくても実施可能である。以下の工程の実施主体は、薬剤師等の薬剤調製者である。
【００３７】
まず、薬剤容器Ｂに対して、薬剤容器Ｂの外部から挿通部Ｂ１を密に覆うようにジャケット２を装着する。このとき、薬剤容器接合部２２を薬剤容器Ｂに密着させる。これとともに、ジャケット２に対して、注射器Ｓの一部（例えば筒状部分）を注射針Ｓ１の先端側から密に挿通する工程を実施する。このとき、注射器接合部２３を注射針Ｓ１に密着させる。なお、薬剤容器Ｂに対するジャケット２の装着と、ジャケット２に対する注射器Ｓの一部の挿通とにつき、実施の前後は問わない。
【００３８】
次に、注射器Ｓの注射針Ｓ１を、薬剤容器Ｂの外部から挿通部Ｂ１に挿通し、薬剤容器Ｂと注射器Ｓとの間で薬剤を移動させる（吸い出す）工程を実施する。
【００３９】
次に、例えば第１実施形態の薬剤捕集機構１を用いた際には、注射針Ｓ１を薬剤容器Ｂの挿通部Ｂ１から抜く。これとともに、ジャケット２の内部に流体を供給しながら、ジャケット２の内部から流体を回収する工程を実施する。なお、ジャケット２の内部に流体を供給することと、ジャケット２の内部から流体を回収することは、同時に行ってもよいし、前後して行ってもよい。さらに、注射針Ｓ１を抜くことと、ジャケット２の内部に流体を供給しながらジャケット２の内部から流体を回収することは、同時に行ってもよいし、前後して行ってもよい。
【００４０】
また、例えば第２実施形態の薬剤捕集機構１を用いた際には、注射針Ｓ１を、前記薬剤容器Ｂの前記挿通部Ｂ１から抜く。これとともに、ジャケットの内部に流体を導入しながら、ジャケット２の内部から流体を吸引する工程を実施する。なお、ジャケット２の内部に流体を導入することと、ジャケット２の内部から流体を吸引することは、同時に行ってもよいし、前後して行ってもよい。さらに、注射針Ｓ１を抜くことと、ジャケット２の内部から流体を吸引することは、同時に行ってもよいし、前後して行ってもよい。
【００４１】
−実施形態の変更可能性−
以上、本発明の実施形態について説明したが、本発明は前述した実施形態に限定されるものではなく、本発明の要旨を逸脱しない範囲内において種々の変更を加えることができる。
【００４２】
例えば、前記各実施形態で対象とした薬剤は、毒性があり、微量であっても長期間に亘り摂取すると人体に悪影響を及ぼす薬剤（危険薬剤）であった。しかし、このような危険薬剤ではない薬剤に対して本発明を適用することもできる。
【００４３】
また、前記各実施形態で対象とした薬剤容器Ｂはバイアル瓶であったが、例えば、頭部がカットされて開封状態とされたアンプル瓶であってもよく、薬剤容器Ｂの種類は限定されない。アンプル瓶の場合、頭部がカットされてできた開口が挿通部に該当する。
【００４４】
また、前記各実施形態のジャケット本体２１は、注射器Ｓの筒状部分の外周面に密着するように構成されていた。しかしこれに限られず、注射針Ｓ１の外周面に密着するよう構成されていてもよい。
【００４５】
また、第１実施形態を一部変更した構成を図３（ａ）（ｂ）に示す。このように、薬剤容器接合部２２におけるパッキンを上方に露出させた上で、パッキンの上端を導出部２５と一致させた状態とすることもできる。薬剤容器接合部２２におけるパッキンは、図３（ｂ）に示すように、ジャケット２の内周面から間欠的に突出した複数のストッパー２７によって押さえられ、薬剤容器Ｂの蓋の上面は導出部２５の内側下面の高さと一致するようになっている。これによると、薬剤容器Ｂの蓋の上面と導出部２５の内側下面の高さが一致しているので、導出部２５にジャケット本体２１の内部空間から流体を導出する場合に、ジャケット本体２１の内部空間に流体が残留することを抑制できる。また、複数のストッパー２７が導出部２５のジャケット本体２１への開口を塞がない位置にあるため、この点でも流体の残留を抑制できる。なお、図示した例では導入部２４に対して導出部２５が低い位置に設けられているが、両者の高さを一致させてもよい。
【００４６】
また、薬剤容器接合部２２または注射器接合部２３につき、径寸法を可変とすることもできる。
【００４７】
また、ジャケット２に薬剤を検知するセンサを設けておき、流体によるジャケット２からの薬剤除去が確実に行われたか否かを判断するよう構成することもできる。
【符号の説明】
【００４８】
１          薬剤捕集機構
２          ジャケット
２１        ジャケット本体
２４        導入部
２５        導出部
３          流体供給部
４          流体回収部
５          吸引部
Ｂ          薬剤容器
Ｂ１        挿通部
Ｓ          注射器
Ｓ１        注射針
【図１】
2019216847.tif 000003
【図２】
2019216847.tif 000004
【図３】
2019216847.tif 000005